(57)【要約】  ＦＰＣ製品に部材プレートを付着する過程で粉塵などの異物の発生を最小化し、これによるＦＰＣ製品の表面汚染を防止することができる方法、及びこのような方法などに使われる部材プレートテープを提供する。  本発明はＦＰＣ製品に部材プレートを付着する方法及び部材プレートテープに係り、多数の部材プレートを前記ＦＰＣ製品の形状に対応するようにプレス打抜して準備する段階と；前記打抜された多数の部材プレートを整列し、それぞれの上下面に共通して下部接着テープと上部接着テープを付着することで部材プレートテープを準備する段階と；前記部材プレートテープを所定の作業台に移送する過程で、前記上部接着テープと下部接着テープを除去して前記多数の部材プレートを前記作業台に順次供給する段階と；前記作業台に順次供給される部材プレートをピックアップして所定のＦＰＣ製品パターン上のそれぞれの該当の位置に付着する段階と；を含むことを特徴とする。
2013528322.tif 000002
【特許請求の範囲】
【請求項１】
ＦＰＣ製品に部材プレートを付着する方法において、
多数の部材プレートを前記ＦＰＣ製品の形状に対応するようにプレス打抜して準備する段階と；
前記打抜された多数の部材プレートを整列し、それぞれの上下面に共通して下部接着テープと上部接着テープを付着することで部材プレートテープを準備する段階と；
前記部材プレートテープを所定の作業台に移送する過程で、前記上部接着テープと下部接着テープを除去して前記多数の部材プレートを前記作業台に順次供給する段階と；
前記作業台に順次供給される部材プレートをピックアップして所定のＦＰＣ製品パターン上のそれぞれの該当の位置に付着する段階と；
を含むことを特徴とする、ＦＰＣ製品に部材プレートを付着する方法。
【請求項２】
前記部材プレートテープを準備する段階は、
前記打抜された多数の部材プレートを、ロール状に巻き取られて移送される下部接着テープ上に順次付着し、前記下部接着テープに付着された多数の部材プレート上に、さらにロール状に巻き取られて移送される上部接着テープを付着して一体化することでなることを特徴とする、請求項１に記載のＦＰＣ製品に部材プレートを付着する方法。
【請求項３】
前記多数の部材プレートを前記作業台に供給する段階は、
前記部材プレートテープを前記作業台に移送する過程で、１次に前記上部接着テープを除去し、２次に前記離型紙層とともに前記下部接着テープを除去する段階を含むことを特徴とする、請求項１に記載のＦＰＣ製品に部材プレートを付着する方法。
【請求項４】
前記上部接着テープと前記下部接着テープは、前記部材プレートテープが前記作業台に移送される過程で、それぞれ該当の移送方向に斜めに設けられた楔部材によって折られて引き出され、ロール巻取過程によって除去されることを特徴とする、請求項３に記載のＦＰＣ製品に部材プレートを付着する方法。
【請求項５】
前記多数の部材プレートを前記作業台に供給する段階は、
前記上部接着テープと下部接着テープを除去した後、前記部材プレートの側面の異物を除去する段階を含むことを特徴とする、請求項１に記載のＦＰＣ製品に部材プレートを付着する方法。
【請求項６】
前記部材プレートの側面の異物は、前記部材プレートが前記作業台に移送される経路に配置されるブラシによって除去されることを特徴とする、請求項５に記載のＦＰＣ製品に部材プレートを付着する方法。
【請求項７】
ＦＰＣ製品に部材プレートを付着するのに使われる部材プレートテープにおいて、
前記ＦＰＣ製品の形状に対応するようにプレス打抜して準備される多数の部材プレートを整列し、それぞれの上下面に共通して下部接着テープと上部接着テープを付着することでなることを特徴とする、部材プレートテープ。
【請求項８】
前記部材プレートテープは、
前記打抜して準備された多数の部材プレートがロール状に巻き取られて移送される下部接着テープ上に順次付着され、前記下部接着テープに付着された多数の部材プレート上に、さらにロール状に巻き取られて移送される上部接着テープが付着されて一体化することでなることを特徴とする、請求項７に記載の部材プレートテープ。
【請求項９】
ＦＰＣ製品に部材プレートを付着する方法において、
多数の部材プレートを前記ＦＰＣ製品の形状に対応するようにプレス打抜して準備する段階と；
前記打抜された多数の部材プレートを整列し、長方形のシート上に付着することで部材プレートシートを準備する段階と；
所定の作業台に移送される接着性テープ上に前記部材プレートシートを付着し、移送過程で前記接着性テープと前記シートを除去して前記多数の部材プレートを前記作業台に順次供給する段階と；
前記作業台に順次供給される部材プレートをピックアップして所定のＦＰＣ製品パターン上のそれぞれの該当の位置に付着する段階と；
を含むことを特徴とする、ＦＰＣ製品に部材プレートを付着する方法。
【請求項１０】
前記部材プレートシートを準備する段階は、
前記打抜された多数の部材プレートをロール状に巻き取られて移送されるテープ上に順次付着し、前記付着された部材プレートが一定数に到逹する度に前記テープを切断することでなることを特徴とする、請求項９に記載のＦＰＣ製品に部材プレートを付着する方法。
【請求項１１】
前記多数の部材プレートを前記作業台に供給する段階は、
前記部材プレートシートが付着された接着性テープを前記作業台に移送する過程で、前記接着性テープとともに前記シートを除去する段階を含むことを特徴とする、請求項９に記載のＦＰＣ製品に部材プレートを付着する方法。
【請求項１２】
前記接着性テープと前記シートは、前記接着性テープが前記作業台に移送される過程で、該当の移送方向に斜めに設けられた楔部材によって折られて引き出され、ロールに巻き取られる過程によって除去されることを特徴とする、請求項１１に記載のＦＰＣ製品に部材プレートを付着する方法。
【請求項１３】
前記多数の部材プレートを前記作業台に供給する段階は、
前記接着性テープと前記シートを除去する前、前記部材プレートの上面の異物を除去する段階を含むことを特徴とする、請求項９に記載のＦＰＣ製品に部材プレートを付着する方法。
【請求項１４】
前記部材プレートの上面の異物は、前記接着性テープが移送される経路上に配置されるクリーンロールによって除去されることを特徴とする、請求項１３に記載のＦＰＣ製品に部材プレートを付着する方法。
【発明の詳細な説明】
【技術分野】
【０００１】
本発明はＦＰＣ製品の製造過程でエポキシ（ｅｐｏｘｙ）、ＳＵＳ、ブラックシールド（ｂｌａｃｋ ｓｈｉｅｌｄ）、ＰＩ（ｐｏｌｙｉｍｉｄｅ）などの部材プレートを付着する方法及び前記部材プレートを提供するための部材プレートテープに関する。
【背景技術】
【０００２】
ＦＰＣ（ｆｌｅｘｉｂｌｅ ｃｉｒｃｕｉｔ ｂｏａｒｄ）は厚さが薄くて柔軟性が高い性質のため、その固定または他の部品との接続などのために、所定厚さを持つ硬質のエポキシプレート（ｅｐｏｘｙ ｐｌａｔｅ）を必要な特定部位に付着して使っている。
また、補強その他の用途に、前記ＦＰＣにＳＵＳ、ＰＩなどの部材プレートを付着して使い、特に電磁波遮断の用途にはブラックシールドを使っている。
【０００３】
このような従来の部材プレートをＦＰＣに付着する方法においては、まず、図１の（ａ）のように、ＦＰＣ製品が印刷されているパターン（ｐａｔｔｅｒｎ）１０を準備し、（ｂ）に示すように、準備されたパターン１０上に帯状の部材プレート２０（この例では、エポキシプレート）を付ける。
この際、部材プレート２０の付着はクィックプレス（ｑｕｉｃｋ ｐｒｅｓｓ）とホットプレス（ｈｏｔ ｐｒｅｓｓ）を順次実施して遂行する。
その後、（ｃ）のように、パターン１０に印刷されたＦＰＣ製品の形状のとおりにプレスで打抜して、（ｄ）のように、部材プレート３１が付着された多数のＦＰＣ製品３０を収得することになる。
（ｃ）において、未説明符号‘Ｈ’は打抜後にパターン１０に形成されたホール（ｈｏｌｅ）を意味する。
【０００４】
しかし、このような従来技術によれば、ＦＰＣ製品３０の打抜過程で、部材プレート２０から粉塵などの異物が発生してＦＰＣ製品３０の表面にくっつくことになり、これによりＦＰＣ製品３０が適用された電子製品などで故障を生じさせる問題があった。
【発明の概要】
【発明が解決しようとする課題】
【０００５】
したがって、本発明の目的は、ＦＰＣ製品に部材プレートを付着する過程で粉塵などの異物の発生を最小化し、これによるＦＰＣ製品の表面汚染を防止することができる方法、及びこのような方法などに使われる部材プレートテープを提供することにある。
【課題を解決するための手段】
【０００６】
前記目的を達成するために、本発明は、ＦＰＣ製品に部材プレートを付着する方法であって、多数の部材プレートを前記ＦＰＣ製品の形状に対応するようにプレス打抜して準備する段階と；前記打抜された多数の部材プレートを整列し、それぞれの上下面に共通して下部接着テープと上部接着テープを付着することで部材プレートテープを準備する段階と；前記部材プレートテープを所定の作業台に移送する過程で、前記上部接着テープと下部接着テープを除去して前記多数の部材プレートを前記作業台に順次供給する段階と；前記作業台に順次供給される部材プレートをピックアップして所定のＦＰＣ製品パターン上のそれぞれの該当の位置に付着する段階と；を含むことを特徴とする、ＦＰＣ製品に部材プレートを付着する方法を提供する。
ここで、前記部材プレートテープを準備する段階は、前記打抜された多数の部材プレートを、ロール状に巻き取られて移送される下部接着テープ上に順次付着し、前記下部接着テープに付着された多数の部材プレート上に、さらにロール状に巻き取られて移送される上部接着テープを付着して一体化することでなることができる。
そして、前記多数の部材プレートを前記作業台に供給する段階は、前記部材プレートテープを前記作業台に移送する過程で、１次に前記上部接着テープを除去し、２次に前記離型紙層とともに前記下部接着テープを除去する段階を含むことができる。
この際、前記上部接着テープと前記下部接着テープは、前記部材プレートテープが前記作業台に移送される過程で、それぞれ該当の移送方向に斜めに設けられた楔部材によって折られて引き出され、ロール巻取過程によって除去されることができる。
そして、前記多数の部材プレートを前記作業台に供給する段階は、前記上部接着テープと下部接着テープを除去した後、前記部材プレートの側面の異物を除去する段階を含むことができる。
前記部材プレートの側面の異物は、前記部材プレートが前記作業台に移送される経路に配置されるブラシによって除去されることができる。
【０００７】
また、前記目的を達成するために、本発明は、ＦＰＣ製品に部材プレートを付着するのに使われる部材プレートテープであって、前記ＦＰＣ製品の形状に対応するようにプレス打抜して準備される多数の部材プレートを整列し、それぞれの上下面に共通して下部接着テープと上部接着テープを付着することでなることを特徴とする、部材プレートテープを提供する。
この際、前記部材プレートテープは、前記打抜して準備された多数の部材プレートがロール状に巻き取られて移送される下部接着テープ上に順次付着され、前記下部接着テープに付着された多数の部材プレート上に、さらにロール状に巻き取られて移送される上部接着テープが付着されて一体化することでなることができる。
【０００８】
一方、前記目的を達成するために、本発明は、ＦＰＣ製品に部材プレートを付着する方法であって、多数の部材プレートを前記ＦＰＣ製品の形状に対応するようにプレス打抜して準備する段階と；前記打抜された多数の部材プレートを整列し、長方形のシート上に付着することで部材プレートシートを準備する段階と；所定の作業台に移送される接着性テープ上に前記部材プレートシートを付着し、移送過程で前記接着性テープと前記シートを除去して前記多数の部材プレートを前記作業台に順次供給する段階と；前記作業台に順次供給される部材プレートをピックアップして所定のＦＰＣ製品パターン上のそれぞれの該当の位置に付着する段階と；を含むことを特徴とする、ＦＰＣ製品に部材プレートを付着する方法を提供する。
ここで、前記部材プレートシートを準備する段階は、前記打抜された多数の部材プレートをロール状に巻き取られて移送されるテープ上に順次付着し、前記付着された部材プレートが一定数に到逹する度に前記テープを切断することでなることができる。
そして、前記多数の部材プレートを前記作業台に供給する段階は、前記部材プレートシートが付着された接着性テープを前記作業台に移送する過程で、前記接着性テープとともに前記シートを除去する段階を含むことができる。
この際、前記接着性テープと前記シートは、前記接着性テープが前記作業台に移送される過程で、該当の移送方向に斜めに設けられた楔部材によって折られて引き出され、ロールに巻き取られる過程によって除去されることができる。
そして、前記多数の部材プレートを前記作業台に供給する段階は、前記接着性テープと前記シートを除去する前、前記部材プレートの上面の異物を除去する段階を含むことができる。
この際、前記部材プレートの上面の異物は、前記接着性テープが移送される経路上に配置されるクリーンロールによって除去されることができる。
【発明の効果】
【０００９】
以上のような本発明により、ＦＰＣ製品に部材プレートを付着する方法、及びこれに使われる部材プレートテープによれば、予めＦＰＣ製品の形状に対応するように打抜された多数の部材プレートの上下面に上、下部接着テープを付着し、これらの上、下部接着テープを除去しながら前記部材プレートをＦＰＣ製品パターンに付着することにより、以後に実施すべきＦＰＣ製品の打抜の際、前記部材プレートが一緒に打抜されることを防止して粉塵の発生を最小化することができる。
また、上、下部接着テープの除去の際、部材プレートの表面に残存する粉塵まで一緒に除去することができるので、これによりＦＰＣ製品の汚染を大幅に減らすことができる。
また、部材プレートの規格が大きな場合のように、テープに付着してロール状に巻取しにくいときには、多数の部材プレートをシート上に載置して移送テープ上に付着して供給することにより、前記と同様な効果を得ることができる。
【図面の簡単な説明】
【００１０】
【図１】ＦＰＣ製品に対する従来の部材プレート付着方法を説明するための段階別概略図である。
【図２】本発明の第１実施例によるＦＰＣ製品に部材プレートを付着する方法を説明するフローチャートである。
【図３】図２の方法を具現する装置の概略図である。
【図４】図２の方法を具現する装置の概略図である。
【図５】本発明の第２実施例によるＦＰＣ製品に部材プレートを付着する方法を説明するフローチャートである。
【図６】図５の方法を具現する手段の概略図である。
【図７】図５の方法を具現する手段の概略図である。
【図８】図５の方法を具現する手段の概略図である。
【発明を実施するための形態】
【００１１】
本発明の第１実施例によるＦＰＣ製品に部材プレートを付着する方法は図２に示すフローチャートのように具現される。
これを説明すれば、まず部材プレート（本実施例ではエポキシプレート）を該当のＦＰＣ製品の形状に対応するようにプレス打抜して準備する（Ｓ１１０）。
すなわち、従来技術では、帯状の部材プレート（図１の２０）をＦＰＣパターン１０に付着した後、ＦＰＣ製品とともにプレス打抜するようにしたもの（図１の（ｃ）及び（ｄ）参照）とは異なり、本発明では予めＦＰＣ製品の形状に対応する部材プレート（図１の３１参照）を打抜して準備する。
【００１２】
そして、打抜された多数の部材プレートをピックアップヘッド（ｐｉｃｋ−ｕｐ ｈｅａｄ）などでピックアップした後、下部接着テープ上に付着し、その上に上部接着テープを付着することにより、部材プレートテープを準備する（Ｓ１２０）。
この具現のために、本実施例では、図３に示すような装置の構成を用いる。
すなわち、下部接着テープ２０１は第１巻取ロール２０２から引き出されて第２巻取ロール２０３に巻き取られ、その移送過程で既に打抜された部材プレート３１が前記ピックアップヘッドなどによって前記移送される下部接着テープ２０１上の定位置（Ａ）に載せられて付着される。
ここで、部材プレート３１、つまりエポキシプレートは、図３の左側拡大図に示すように、予めエポキシ層３１ａ、接着剤層３１ｂ及び離型紙層３１ｃでなるものを準備することができる。
このようなエポキシプレート３１の構造によれば、下部接着テープ２０１への付着の際、離型紙層３１ｃが下部接着テープ２０１と一体に接着されることにより、後述するように、テープ２０１の除去時に一緒にエポキシプレート３１から離脱することができる。
一方、移送される下部接着テープ２０１上に順次付着された多数の部材プレート３１上には、第３巻取ロール２０４から引き出される上部接着テープ２０５が付着される。
上部接着テープ２０５がさらに付着された部材プレート３１と下部接着テープ２０１は前記上部接着テープ２０５と一体を成して部材プレートテープ２０６を形成し、その後、この部材プレートテープ２０６は第２巻取ロール２０３に巻き取られる。
図３において、未説明符号２０７はフィードローラー（ｆｅｅｄ ｒｏｌｌｅｒ）、２０８はアイドルローラー（ｉｄｌｅ ｒｏｌｌｅｒ）である。
【００１３】
次の段階では、以上のように準備された部材プレートテープ２０６を所定の作業台に移送し、この過程で前記部材プレートテープ２０６から上部及び下部接着テープ２０５、２０１を除去し、最終には部材プレート３１のみを前記作業台に順次供給する（Ｓ１３０）。
この具現のために、本実施例では、図４に示すような装置の構成を用いる。
すなわち、第１巻取ロール３０１から引き出された部材プレートテープ２０６は作業台Ｂに向かって移送される。
この過程で、前記部材プレートテープ２０６の一部を成す上部接着テープ２０５は楔部材３０２によって折られて第２巻取ロール３０３に巻き取られることにより除去される。
ついで、上部接着テープ２０５が除去された部材プレートテープ２０６は、作業台Ｂの直前で、その一部を成す下部接着テープ２０１が楔部材３０４によって折られて引き出され、第３巻取ロール３０５に巻き取られることにより除去される。
結果として、楔部材３０４に隣り合う作業台Ｂには部材プレートテープ２０６の部材プレート３１のみが供給される。
一方、前記下部接着テープ２０１が部材プレートテープ２０６から除去される過程で、これと一体に付着結合された部材プレート３１側の離型紙層（図３の拡大図の３１ｃ）も前記下部接着テープ２０１に付着されて一緒に除去される。
したがって、作業台Ｂに供給される部材プレート３１はエポキシ層３１ａと接着剤層３１ｂだけである。
また、前記楔部材３０２、３０４はそれぞれ該当の位置で部材プレートテープ２０６の移送方向に斜めに形成されることにより、上部及び下部接着テープ２０５、２０１が部材プレートテープ２０６からなだらかに除去可能である。
図４において、未説明符号３０６はフィードローラー、３０７はアイドルローラー、３０８は部材プレート３１の側面異物を除去するためのブラシである。
【００１４】
次の段階で、前述した構成によって作業台Ｂに順次供給される部材プレート３１をピックアップして所定のＦＰＣ製品パターン上の各該当の位置に付着する（Ｓ１４０）。
このために、本実施例では、図４に示すように、ピックアップヘッド４０１で部材プレート３１をピックアップして移送し、正確な座標値及び回転角の移送のために、ビジョンカメラ４０２を備えている。
ピックアップヘッド４０１によってピックアップされる多数の部材プレート３１は、図１に示すようなＦＰＣ製品パターン１０上の各該当の位置（Ｃ）に付着される。
次の段階では、多数の部材プレート３１が付着されたＦＰＣ製品パターン１０を１次及び２次にかけて上下に加圧及び加熱することにより、部材プレート３１のボンディングを完了する（Ｓ１５０）。
このために、本実施例では、図４に示すように、加圧プレス５０１を用いることができる。
最後の段階では、多数の部材プレート３１のボンディングが完了したＦＰＣ製品パターン１０をプレス打抜することで、部材プレート３１の付着されたＦＰＣ製品３０を形成する（Ｓ１６０）。
【００１５】
本発明の第２実施例によるＦＰＣ製品に部材プレートを付着する方法は図５に示すフローチャートのように具現される。
まず、部材プレートを該当のＦＰＣ製品の形状に対応するようにプレス打抜して準備する（Ｓ２１０）。
打抜された多数の部材プレートをピックアップヘッドなどでピックアップした後、合成樹脂材のシート上に載置する（Ｓ２２０）。
この具現のために、本実施例では、図６に示すような装置の構成を用いる。
すなわち、合成樹脂材のテープ６０１が巻取ロール６０２から引き出され、フィードローラー６０７を通って移送される過程で、既に打抜された部材プレート３１が前記ピックアップヘッドなどによって前記移送されるテープ６０１上の定位置（Ａ）に載せられて付着される。
【００１６】
その後、テープ６０１の移送過程で前記のように付着される部材プレート３１が一定数に到逹すれば、カッター６０３の作動でテープ６０１が切断されることにより、多数の部材プレート３１が付着された部材プレートシート６０４が得られる（図７参照）。
このような方式により、部材プレートシート６０４は前記第１実施例のテープ形態とは異なり、多数の積層されたシートの形態として準備され、特に部材プレート３１のサイズが大きいためテープに付着してローリングさせることが困難な場合に有用に適用可能である（図７参照）。
【００１７】
次の段階では、以上のように準備された部材プレートシート６０４を所定の作業台に移送される接着テープ上に付着して一緒に移送させ、前記作業台に到逹する直前、前記接着性テープとシートを除去した後、部材プレートのみを前記作業台に順次供給する（Ｓ２３０）。
この具現のために、本実施例では、図８に示すような装置の構成を用いる。
すなわち、巻取ロール（図示せず）から引き出された接着性テープ７０１は作業台Ｂに向かって移送される。
この過程で、前記移送される接着性テープ７０１上に前記部材プレートシート６０４を付着させて一緒に移送させる。
この際、部材プレートシート６０４のシートと接着性テープ７０１は作業台Ｂの直前で楔部材７０２によって折られて引き出され、巻取ロール７０３に巻き取られることにより除去される。
結果として、楔部材７０２に隣り合う作業台Ｂには部材プレート３１のみが供給される。
【００１８】
一方、接着性テープ７０１とシート６０４が除去される前、楔部材７０２の上部には前記接着性テープ７０１の移送経路上にクリーンロール（ｃｌｅａｎ ｒｏｌｌ）７０４が配置される。
クリーンロール７０４は移送される部材プレートシート６０４上に加圧密着してローリングすることにより、部材プレート３１に圧搾されてその表面に存在する異物を除去する機能をする。
次の段階としては、前記第１実施例の場合と同様に、作業台Ｂに順次供給される部材プレート３１はピックアップされて所定のＦＰＣ製品パターン上の各該当の位置に付着され（図５のＳ２４０）、多数の部材プレート３１が付着されたＦＰＣ製品パターンは上下に加圧及び加熱されて部材プレート３１のボンディングを完了する（Ｓ２５０）。最後に、多数の部材プレート３１のボンディングが完了したＦＰＣ製品パターンをプレス打抜することで、部材プレート３１の付着されたＦＰＣ製品を形成する（Ｓ２６０）。
【００１９】
一方、以上説明した本発明の第１及び第２実施例によるＦＰＣ製品に部材プレートを付着する方法及び部材プレートテープは本発明の理解のための一実施例に過ぎないもので、本発明の権利範囲ないし技術的範囲がこれらに限定されるものに理解されてはいけない。
本発明の権利範囲ないし技術的範囲は後述する特許請求範囲及びその均等範囲によって決められる。
【符号の説明】
【００２０】
１０  パターン
２０  部材プレート
３０  ＦＰＣ製品
３１  部材プレート
３１ａ  エポキシ層
３１ｂ  接着剤層
３１ｃ  離型紙層
２０１  下部接着テープ
２０２  第１巻取ロール
２０３  第２巻取ロール
２０４  第３巻取ロール
２０５  上部接着テープ
２０６  部材プレートテープ
２０７  フィードローラー
２０８  アイドルローラー
３０１  第１巻取ロール
３０２  楔部材
３０３  第２巻取ロール
３０４  楔部材
３０５  第３巻取ロール
３０６  フィードローラー
３０７  アイドルローラー
３０８  ブラシ
４０１  ピックアップヘッド
４０２  ビジョンカメラ
５０１  加圧プレス
６０１  テープ
６０２  巻取ロール
６０３  カッター
６０４  部材プレートシート
６０７  フィードローラー
７０１  接着性テープ
７０２  楔部材
７０３  巻取ロール
７０４  クリーンロール
【図１】
2013528322.tif 000003
【図２】
2013528322.tif 000004
【図３】
2013528322.tif 000005
【図４】
2013528322.tif 000006
【図５】
2013528322.tif 000007
【図６】
2013528322.tif 000008
【図７】
2013528322.tif 000009
【図８】
2013528322.tif 000010
【国際調査報告】
2013528322.tif 000011
2013528322.tif 000012
2013528322.tif 000013
2013528322.tif 000014